(57)【要約】【課題】装置の販売時などにおいて、ユーザの希望する初期設定値を梱包状態で簡単に設定することができる複合機などの処理装置を提供する。【解決手段】ＡＣ電源又はバッテリで動作可能な無線通信部１００と、ＡＣ電源又はバッテリにより動作可能で、装置の動作に関する初期設定情報を記憶するＥＥＰＲＯＭ１３０とを備える。電源供給がバッテリであり且つＡＣ電源の投入履歴がない場合に、販売店用のＰＣ２０００から無線通信によって受信した初期設定情報に基づいて、ＥＥＰＲＯＭ１３０に格納される初期設定情報を書き替える。【選択図】図４
2009278516.tif 000002
【特許請求の範囲】
【請求項１】
主電源又は副電源により動作可能な無線通信手段と、
主電源又は副電源により動作可能で、装置の動作に関する設定情報を記憶する第１の記憶手段と、
主電源又は副電源により動作可能で、電源供給が主電源と副電源のいずれであるかを判別する第１の判別手段と、
主電源又は副電源により動作可能で、主電源の投入履歴があるか否かを判別する第２の判別手段と、
前記第１の判別手段の判別の結果、電源供給が副電源であり、且つ前記第２の判別手段の判別の結果、主電源の投入履歴がない場合に、外部装置から前記無線通信手段によって受信した設定情報に基づいて、前記第１の記憶手段に格納される設定情報を書き替える書き替え手段とを備えたことを特徴とする処理装置。
【請求項２】
前記無線通信手段で前記外部装置から無線通信を受信したときに、該無線通信により送信された識別情報と当該処理装置自身が記憶している識別情報とが一致するか否かを判定し、一致した場合に前記外部装置との無線通信を確立する手段を備えたことを特徴とする請求項１に記載の処理装置。
【請求項３】
主電源により動作可能で、装置の動作に関する設定情報を記憶する第２の記憶手段と、
当該処理装置が主電源で動作するときに、前記第１の記憶手段と前記第２の記憶手段とに格納される設定情報を比較する比較手段と、
前記比較手段の比較の結果が不一致である場合には、前記第１の記憶手段に格納された設定情報に基づいて起動し、一致である場合には、前記第２の記憶手段に格納された設定情報に基づいて起動することを特徴とする請求項１又は２に記載の処理装置。
【請求項４】
前記第１の記憶手段の記憶情報を参照して、前記無線通信手段によって前記外部装置から受信した設定情報の内容に矛盾がないか否かを判定する手段を有し、
前記受信した設定情報の内容に矛盾がある場合には、前記書き替え手段による書き替え動作の実行を保留し、前記外部装置に対して通知情報を送信することを特徴とする請求項１乃至３のいずれか１項に記載の処理装置。
【請求項５】
前記第１の記憶手段の記憶情報を参照して、前記無線通信手段によって前記外部装置から受信した設定情報の内容に矛盾がないか否かを判定する手段を有し、
前記受信した設定情報の内容に矛盾がある場合には、当該処理装置が主電源で動作するときに、前記第２の記憶手段に格納された設定情報に基づいて起動することを特徴とする請求項１乃至３のいずれか１項に記載の処理装置。
【請求項６】
主電源又は副電源で動作可能な無線通信手段と、主電源又は副電源により動作可能で、装置の動作に関する設定情報を記憶する記憶手段を有する処理装置の制御方法であって、
主電源又は副電源により動作可能で、電源供給が主電源又は副電源のいずれであるかを判別する第１の判別工程と、
主電源又は副電源により動作可能で、主電源の投入履歴があるか否かを判別する第２の判別工程と、
前記第１の判別工程の判別の結果、電源供給が副電源であり、且つ前記第２の判別工程の判別の結果、主電源の投入履歴がない場合に、外部装置から前記無線通信手段によって受信した設定情報に基づいて、前記第１の記憶手段に格納される設定情報を書き替える書き替え工程とを有することを特徴とする処理装置の制御方法。
【請求項７】
主電源又は副電源で動作可能な無線通信手段と、主電源又は副電源により動作可能で、装置の動作に関する設定情報を記憶する記憶手段を有する処理装置の制御方法を実行するためのプログラムであって、
主電源又は副電源により動作可能で、電源供給が主電源又は副電源のいずれであるかを判別する第１の判別ステップと、
主電源又は副電源により動作可能で、主電源の投入履歴があるか否かを判別する第２の判別ステップと、
前記第１の判別ステップの判別の結果、電源供給が副電源であり、且つ前記第２の判別ステップの判別の結果、主電源の投入履歴がない場合に、外部装置から前記無線通信手段によって受信した設定情報に基づいて、前記第１の記憶手段に格納される設定情報を書き替える書き替えステップとを有することを特徴とするプログラム。
【発明の詳細な説明】
【技術分野】
【０００１】
本発明は、複合機などの処理装置及びその制御方法、並びに前記制御方法を実行するためのプログラムに関する。
【背景技術】
【０００２】
従来の複合機などの画像形成装置において、言語設定や用紙設定、優先動作モードなどの初期設定情報は、予め初期値が設定されている。ユーザがそれら初期設定値を変更する場合には、画像形成装置の購入後に、表示パネルなどに表示されるユーザインターフェース（ＵＩ）の画面を操作して変更するのが一般的である。
【０００３】
しかしなから、初期設定値の変更は、ＵＩ画面からメニューの階層を追って行う必要があり、ユーザにとっては煩雑な作業を強いられるという問題があった。さらに、画像形成装置の購入時にユーザの希望にそって販売員などが初期設定値を変更するためには、梱包状態から開梱して装置に電源を投入しなければならないという問題もあった。
【０００４】
開梱せずに梱包状態で装置に情報を与え、開梱後の電源投入時に、その情報をユーザに通知する、という技術では、例えば特許文献１のようなものが提案されている。
【特許文献１】特開２００７−１５２７１１号公報
【発明の開示】
【発明が解決しようとする課題】
【０００５】
しかしながら、上述した特許文献１の技術では、開梱して装置に電源を投入した後に、ユーザに情報を通知する構成となっている。そのため、ユーザは通知された情報により設定作業をすることになり、依然としてユーザに煩雑な作業を強いるという問題があった。
【０００６】
本発明は上記従来の問題点に鑑み、装置の販売時などにおいて、ユーザの希望する初期設定値を梱包状態で簡単に設定することができる処理装置及びその制御方法、並びにプログラムを提供することを目的とする。
【課題を解決するための手段】
【０００７】
上記目的を達成するため、本発明の処理装置は、主電源又は副電源により動作可能な無線通信手段と、主電源又は副電源により動作可能で、装置の動作に関する設定情報を記憶する第１の記憶手段と、主電源又は副電源により動作可能で、電源供給が主電源と副電源のいずれであるかを判別する第１の判別手段と、主電源又は副電源により動作可能で、主電源の投入履歴があるか否かを判別する第２の判別手段と、前記第１の判別手段の判別の結果、電源供給が副電源であり、且つ前記第２の判別手段の判別の結果、主電源の投入履歴がない場合に、外部装置から前記無線通信手段によって受信した設定情報に基づいて、前記第１の記憶手段に格納される設定情報を書き替える書き替え手段とを備えたことを特徴とする。
【０００８】
また、本発明の処理装置の制御方法は、主電源又は副電源で動作可能な無線通信手段と、主電源又は副電源により動作可能で、装置の動作に関する設定情報を記憶する記憶手段を有する処理装置の制御方法であって、主電源又は副電源により動作可能で、電源供給が主電源又は副電源のいずれであるかを判別する第１の判別工程と、主電源又は副電源により動作可能で、主電源の投入履歴があるか否かを判別する第２の判別工程と、前記第１の判別工程の判別の結果、電源供給が副電源であり、且つ前記第２の判別工程の判別の結果、主電源の投入履歴がない場合に、外部装置から前記無線通信手段によって受信した設定情報に基づいて、前記第１の記憶手段に格納される設定情報を書き替える書き替え工程とを有することを特徴とする。
【０００９】
また、本発明のプログラムは、主電源又は副電源で動作可能な無線通信手段と、主電源又は副電源により動作可能で、装置の動作に関する設定情報を記憶する記憶手段を有する処理装置の制御方法を実行するためのプログラムであって、主電源又は副電源により動作可能で、電源供給が主電源又は副電源のいずれであるかを判別する第１の判別ステップと、主電源又は副電源により動作可能で、主電源の投入履歴があるか否かを判別する第２の判別ステップと、前記第１の判別ステップの判別の結果、電源供給が副電源であり、且つ前記第２の判別ステップの判別の結果、主電源の投入履歴がない場合に、外部装置から前記無線通信手段によって受信した設定情報に基づいて、前記第１の記憶手段に格納される設定情報を書き替える書き替えステップとを有することを特徴とする。
【発明の効果】
【００１０】
本発明によれば、処理装置の販売時などにおいて、ユーザの希望する初期設定値を梱包状態で簡単に設定することが可能になる。
【発明を実施するための最良の形態】
【００１１】
以下、本発明の実施の形態について、図面を参照しながら説明する。
【００１２】
［第１の実施の形態］
＜第１の実施の形態における構成＞
図１は、本発明の第１の実施の形態に係る処理システムの構成を示す模式図であり、図２は、図１中の複合機のコントローラの構成を示すブロック図である。
【００１３】
この処理システムは、コントローラ１１００内に無線通信部１００を備えた複合機（画像形成装置）であるＭＦＰ１０００と、無線通信部２００を備えたパーソナルコンピュータ（ＰＣ）２０００とで構成されている。そして、ＰＣ２０００には、ディスプレイ２１００が接続されている。
【００１４】
ＭＦＰ１０００のコントローラ１１００は、図２に示すように、乾電池などのバッテリ２０又はＡＣ電源装置１２００から電源が供給される無線通信部１００と、ＲＯＭ４０とＲＡＭ５０に接続されたＡＳＩＣ３０を備えている。ＲＯＭ４０はプログラムや初期設定値を格納する読み出し専用メモリであり、ＲＡＭ５０はＡＳＩＣ３０のワークエリアとして機能する読み書き可能なメモリである。ＡＳＩＣ３０は、ＲＯＭ４０に格納されているプログラムを実行してコントローラ１１００全体の動作を制御する集積回路である。
【００１５】
無線通信部１００は、当該無線通信部１００の動作を制御するＭＣＵ１１０と、無線通信データの送受信部１２０と、不揮発性メモリ（ＥＥＰＲＯＭ）１３０とで構成されている。ＥＥＰＲＯＭ１３０には、画像形成に関する初期設定情報や当該ＭＦＰ１０００自身（処理装置自身）の識別情報（識別ＩＤ）、ＭＦＰ１０００自身の仕様に関する情報などが格納されている。EEPROM１３０は、本発明の第１の記憶手段の一例であり、ROM４０は、本発明の第２の記憶手段の一例である。
【００１６】
図３は、ＰＣ２０００の構成を示すブロック図である。
【００１７】
このＰＣ２０００は、ＣＰＵ２０１、ＲＡＭ２０２、ＲＯＭ２０３、ＨＤＤ２０４、表示制御部２０５、操作部２０６、及び無線通信部２００を備えている。
【００１８】
ＣＰＵ２０１は、入力信号やプログラムに従い、各種の演算や、ＰＣ２０００を構成する各部分の制御を行う。ＲＡＭ２０２は、一時的なデータを記憶し、ＣＰＵ２０１の作業用に使われる。ＲＯＭ２０３は、ＰＣ２０００を制御するためのプログラムを記憶する。
【００１９】
ＨＤＤ（Ｈａｒｄ  Ｄｉｓｋ  Ｄｒｉｖｅ）２０４は、初期設定変更用のアプリケーションプログラムや、個々の複合機ＭＦＰを識別するための識別情報などの登録情報等が記憶されている。表示制御部２０５は、ＬＣＤなどのディスプレイ装置２１００の表示を制御する。操作部２０６は、使用者の操作を受け付けるデバイスである。例えば、文字などを入力するための各種キーを有するキーボード、或いはマウスパッドなどのポインティングデバイスを用いることが可能である。ポインティングデバイスは、ディスプレイ装置２１００の表示画面上に表示されたマウスポインタを制御し、プログラムのメニューやその他のオブジェクトを操作するために使用される。
【００２０】
無線通信部２００は、ＭＦＰ１０００などの外部装置と無線接続して制御コマンドやデータのやり取りを行う。データ通信するのためのプロトコルとしては、例えばＰＴＰ（Ｐｉｃｔｕｒｅ  Ｔｒａｎｓｆｅｒ  Ｐｒｏｔｏｃｏｌ）が用いられる。
【００２１】
＜第１の実施の形態における初期設定変更処理＞
次に、上述した構成において第１実施の形態における初期設定変更処理について、図４及び図５と、図６を参照して説明する。
【００２２】
本処理では、例えば販売店において、ユーザがＭＦＰ１０００を購入する際に、ＭＦＰ１０００が梱包状態のままで、販売店用のＰＣ２０００を使用して、無線通信によって初期設定のカスタマイズを行うことを想定している。
【００２３】
図４及び図５は、第１実施の形態における処理を示すフローチャートである。なお、本実施形態では、図４に示す処理は、ＭＦＰ１０００のコントローラ１１００に搭載される無線通信部１００のＭＣＵ１１０が制御を行い、続きの図５の処理は、ＡＳＩＣ３０が制御を行う。
【００２４】
ＭＣＵ１１０は、電源供給が交流（ＡＣ）電源（主電源）であるか或いは乾電池などのバッテリ電源（副電源）であるかどうかを、第１のフラグによって判断する（Ｓ４０１）。この判断は、本発明の第１の判別処理の一例である。この第１のフラグは、電源がＡＣ電源である場合に“１”となり、電源がバッテリ電源である場合に“０”となる。梱包状態では、第１のフラグは“０”となっている。
【００２５】
第１のフラグが“０”、即ち乾電池などのバッテリ電源である場合には、ＭＣＵ１１０は、ＡＣ電源の投入履歴があるかどうかを、第２のフラグによって判断する（Ｓ４０２）。この判断は、本発明の第２の判別処理の一例である。この第２のフラグは、ＡＣ電源の投入履歴がある場合に“１”となり、投入履歴がない場合に“０”となる。梱包状態では、第２のフラグは“０”となっている。
【００２６】
また、乾電池等のバッテリ電源においては、無線通信部１００のみが動作可能状態であり、ＭＣＵ１１０のコントローラ１１００の他モジュールは動作していない。第２フラグが“０”、即ち電源投入履歴がない場合は、ＭＣＵ１１０は、無線通信部１００のＥＥＰＲＯＭ１３０に格納されている自身の識別情報（識別ＩＤ）を読み出す。これにより、無線通信部１００は、無線通信待機状態となる（Ｓ４０３）。即ち、販売店などで梱包状態である場合には、無線通信部１００のみが乾電池等のバッテリ電源によって、無線通信待機状態となっている。
【００２７】
ここで、販売店では、個々のＭＦＰを識別するための情報、例えばシリアル番号をバーコードなどから読み取り、既に販売店用のＰＣ２０００などに登録しているものとする。そして、ユーザがＭＦＰ１０００を販売店で購入する際、販売店員は、販売店用ＰＣ２０００を使って、購入対象のＭＦＰの識別情報（識別ＩＤ）を特定し、無線通信の確立を行う。
【００２８】
図４のフローチャートに戻り、ＭＣＵ１１０は、販売店用ＰＣ２０００から無線通信を受信すると（Ｓ４０３）、その識別情報（識別ＩＤ）が予め格納されている識別情報（識別ＩＤ）と一致するかどうか判断する（Ｓ４０４）。
【００２９】
無線通信による識別ＩＤが、予め格納されている識別ＩＤと一致した場合、販売店用ＰＣ２０００とＭＦＰ１０００のセキュアな無線通信経路が確立したことになる。そして、ＭＣＵ１１０は、セキュアな無線通信経路が確立し、初期設定変更が可能なモードに移行したことを、販売店用ＰＣ２０００に通知する（Ｓ４０５）。
【００３０】
この通知を販売店用ＰＣ２０００で受けた販売員は、次の操作を行う。即ち、ユーザがＭＦＰ１０００を購入する際にその初期設定の変更を行う場合は、販売員が販売店用ＰＣ２０００の初期設定用のソフトウェアを用いて初期設定の変更操作を行う。
【００３１】
ここで、上記初期設定の変更操作について、図６を用いて説明をする。図６は、販売店用ＰＣ２０００側のディスプレイ装置２１００に表示される初期設定変更画面の画面図である。
【００３２】
図６において、販売店用ＰＣ２０００のディスプレイ装置２１００には、初期設定変更用ソフトウェアの初期設定変更画面２１１０が表示されている。この図６の例では、以下のように初期設定値を変更している。これらの変更は、ユーザの希望を聞いて、販売員が販売店用ＰＣ２０００の初期設定用ソフトウェアの画面を見ながら行うものである。
・言語設定は、「１：日本語」を選択する（初期設定値のまま）。
・用紙設定は、「１：Ａ４」を選択する（初期設定値のまま）。
・優先モードは、「２：ＦＡＸ」を選択する（初期値：ＣＯＰＹから変更）。
・コピー画質は、「３：文字／写真」を選択する（初期値：文字から変更）。
・コピー倍率は、「２：２ページ／片面」を選択する（初期値：等倍から変更）。
【００３３】
これらの初期設定値は、第１の初期設定情報として、販売店用ＰＣ２０００の無線通信部２００から無線通信で購入品であるＭＦＰ１０００へ送信される。
【００３４】
図４のフローチャートに戻る。ＭＦＰ１０００における無線通信部１００のＭＣＵ１１０は、販売店用ＰＣ２０００からの無線通信によって送信された、上記第１の初期設定情報を受信する（Ｓ４０６）。ＭＣＵ１１０は、受信した第１の初期設定情報で、無線通信部１００のＥＥＰＲＯＭ１３０に予め格納されていた初期設定情報（第２の初期設定情報）を書き替える（Ｓ４０７）。
【００３５】
次に、ＭＣＵ１１０は、初期設定情報の書き替えが正常に行われたかどうかを確認する（Ｓ４０８）。即ち、無線通信部１００のＥＥＰＲＯＭ１３０に格納されている第２の初期設定情報を読み出し、この第２の初期設定情報と販売店用ＰＣ２０００から受信した第１の初期設定情報とを比較する。第１の初期設定情報と第２の初期設定情報が一致しない場合には、ＭＣＵ１１０は、ＥＥＰＲＯＭ１３０への書き込み動作に支障があるかを確認する（Ｓ４０９）。即ち、前記第２の初期設定情報が格納されている部分以外の領域にデータの書き込み及び読み出しを行う。このデータの書き込み及び読み出しが一致した場合は、ＥＥＰＲＯＭ１３０への書き込み動作は正常であるが、初期設定情報の書き替えは失敗ということになる。そして、ＭＣＵ１１０は、販売店用ＰＣ２０００に対して、初期設定情報の書き替え失敗終了であった旨を通知する（Ｓ４１０）。
【００３６】
一方、第１の初期設定情報と第２の初期設定情報が一致した場合（Ｓ４０８）、ＭＣＵ１１０は、販売店用ＰＣ２０００に対して、初期設定情報の書き替え動作が正常終了であった旨を通知する（Ｓ４１１）。また、前記Ｓ４０９において、上記データの書き込み及び読み出しが一致しない場合は、ＥＥＰＲＯＭ１３０への書き込み動作が失敗ということになる。その場合、ＭＣＵ１１０は、販売店用ＰＣ２０００に対して、再度初期設定情報の送信を要求し、受信待ち状態となる（Ｓ４１２）。
【００３７】
ＭＣＵ１１０は、販売店用ＰＣ２０００から再度初期設定情報を受信すると（Ｓ４１３）、Ｓ４０８へ戻り、前記初期設定情報の書き替えが正常に行われたかどうかを確認する。ここで、設定変更が失敗で書き替え動作は正常というサイクルが無限に続く恐れがあるため、このサイクルを計測する手段を設け、予め決められた回数までとする。この回数に到達した場合は、ＭＣＵ１１０は、販売店用ＰＣ２０００に対して、初期設定情報の書き替え失敗終了であった旨を通知する（Ｓ４１０）。
【００３８】
次に、図５を用いて、ＭＦＰ１０００のコントローラ１１００に搭載されるＡＳＩＣ３０の制御について説明する。
【００３９】
コントローラ１１００全体を制御するＡＳＩＣ３０は、ＡＣ電源装置１２００からＡＣ電源が投入されると（Ｓ４１４）、バッテリ２０による無線通信部１００の電池駆動を停止する（Ｓ４１５）。続いて、ＡＳＩＣ３０は、ＡＣ電源の投入履歴を示す第２のフラグを“１”にセットする（Ｓ４１６）。
【００４０】
次にＡＳＩＣ３０は、ＭＣＵ１１０と通信を行い、初期設定情報が変更されたかどうかを判断する（Ｓ４１７）。即ち、ＥＥＰＲＯＭ１３０に格納されている初期設定情報とＲＯＭ４０に格納されている初期設定情報とを比較する。その比較結果が一致していれば、初期設定情報が変更されていないことになり、不一致であれば初期設定情報が変更されていることになる。
【００４１】
初期設定情報が変更されている場合、ＭＣＵ１１０は、ＥＥＰＲＯＭ１３０に格納された前記第１の初期設定情報を読み出し、ＡＳＩＣ３０へ送信する（Ｓ４１８）。そして、ＡＳＩＣ３０は、ＥＥＰＲＯＭ１３０に格納された前記第１の初期設定情報（変更された情報）に従って起動する（Ｓ４１９）。
【００４２】
一方、初期設定情報が変更されていない場合（Ｓ４１７）、ＡＳＩＣ３０は、コントローラ１１００に搭載されたＲＯＭ４０から前記第２の初期設定情報（変更されていない情報）を読み出す（Ｓ４２０）。そして、前記第２の初期設定情報（変更されていない情報）に従って起動する（Ｓ４１９）。
【００４３】
＜第１の実施の形態に係る利点＞
上述した第１の実施の形態によれば、次のような利点を奏する。
【００４４】
（１）ＭＦＰ１０００の販売時にユーザの希望にそった初期設定に変更することによって、ユーザ自身が初期設定を変更するという煩わしさがなく、希望の設定で購入後すぐに使い始めることが可能である。
【００４５】
（２）無線通信を使うことによって、販売時に開梱することなく、梱包状態で初期設定を変更することが可能である。
【００４６】
（３）識別ＩＤを使ってセキュアな無線通信経路を確立することによって、他の無線通信で不用意に初期設定情報が書き替わることを防止することが可能である。
【００４７】
（４）電源の投入履歴を記憶することによって、ＭＦＰ１０００の購入後の電源入れ直しで初期設定が変更されることを防止することが可能である。
【００４８】
［第２の実施の形態］
第２の実施の形態は、初期設定情報の書き替え動作について、その設定内容に矛盾がないかどうかを確認できるようにした点に特徴がある。
【００４９】
＜第２の実施の形態における処理＞
図７は、第２の実施の形態における処理を示すフローチャートであり、図４と共通の要素には同一の符号を付し、その説明を省略する。
【００５０】
図７のＳ４０１からＳ４０６までの処理は、上記第１の実施の形態で説明した図４のＳ４０１からＳ４０６までの処理と同じである。ＭＦＰ１０００における無線通信部１００のＭＣＵ１１０は、Ｓ４０６において、販売店用ＰＣ２０００から上記第１の初期設定情報を受信した後、Ｓ６０７へ進む。
【００５１】
Ｓ６０７において、ＭＣＵ１１０は、受信した上記第１の初期設定情報の内容に矛盾がないかどうかを確認する。例えば、上記第１の初期設定情報の言語仕様が英語になっていたとして、装置自身の電源仕様が２２０Ｖであるような場合、英語圏では１１０Ｖ電源が矛盾のない組合せとしているので、初期設定情報に矛盾があると判断する。ここで、装置自身の仕様に関する情報は、ＥＥＰＲＯＭ１３０に予め格納されている記憶情報である。
【００５２】
受信した上記第１の初期設定情報の内容に矛盾がなかった場合（Ｓ６０７）、ＭＣＵ１１０は、ＥＥＰＲＯＭ１３０に予め格納されていた第２の初期設定情報を第１の初期設定情報に書き替える（Ｓ６０８）。そして、ＭＣＵ１１０は、販売店用ＰＣ２０００に対して、初期設定情報の書き替え動作が正常終了であった旨を通知する（Ｓ６０９）。
【００５３】
一方、受信した上記第１の初期設定情報の内容に矛盾がある場合（Ｓ６０７）、ＭＣＵ１１０は、Ｓ６０８の書き替え動作の実行を保留し、矛盾がある旨を販売店用ＰＣ２０００へ通知する（Ｓ６１０）。
【００５４】
そして、販売店用ＰＣ２０００側で、ユーザと販売員が設定の内容を確認し、矛盾があるとなった設定内容が、意図したものであるかどうかを判断する。例えば、上記第１の初期設定情報の言語仕様が英語であり、装置自身の電源仕様が２２０Ｖであるような場合、ユーザが英語を母国語としているようなケースでは、意図して設定していることになる。そのため、この第１の初期設定情報の内容には誤りがないことになり、販売員は、販売店用ＰＣ２０００により、設定内容正常確認の通知情報をＭＦＰ１０００のＭＣＵ１１０へ送信する。
【００５５】
ＭＦＰ１０００のＭＣＵ１１０は、Ｓ６１１において、この設定内容正常確認の通知を受信すると、Ｓ６０８以降の処理を行うことになる。そして、ＭＣＵ１１０は、Ｓ６０９の処理後、ＡＳＩＣ３０の制御により、前述した図５のＳ４１４からＳ４１９までの処理と同様の処理を行う。
【００５６】
なお、上記説明では、販売店用ＰＣ２０００から受信した上記第１の初期設定情報の内容に矛盾がある場合には（Ｓ６０７）、その旨を販売店用ＰＣ２０００へ通知するようにしたが（Ｓ６１０）、次のように処理してもよい。即ち、販売店用ＰＣ２０００へ通知をせずに、ＭＦＰ１０００がＡＣ電源で動作するときに、ＲＯＭ４０に格納されている初期設定情報に従って起動するようにしてもよい。
【００５７】
＜第２の実施の形態に係る利点＞
初期設定情報の設定内容に矛盾がないかどうかを判定し、その内容をユーザが確認できるようにしたので、一層、使用勝手が向上する。
【００５８】
なお、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出す処理である。
【００５９】
この場合、記憶媒体から読み出されたプログラムコード自体が前述した実施の形態の機能を実現することになり、そのプログラムコード及び該プログラムコードを記憶した記憶媒体は本発明を構成することになる。
【００６０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしてもよい。
【００６１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００６２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【００６３】
また、本発明の画像形成装置は、MFPに限らず、プリンタ、コピー機、スキャナ、ファクシミリ等のその他の装置であってもよい。また、本発明の外部装置は、パーソナルコンピュータに限らず、サーバ端末や、携帯電話やPDA等の携帯端末等の装置であってもよい。
【図面の簡単な説明】
【００６４】
【図１】第１の実施の形態に係る処理システムの構成を示す模式図である。
【図２】図１中の複合機のコントローラの構成を示すブロック図である。
【図３】販売店用ＰＣの構成を示すブロック図である。
【図４】第１実施の形態における処理を示すフローチャートである。
【図５】図４の続きのフローチャートである。
【図６】販売店用ＰＣ側のディスプレイ装置に表示される初期設定変更画面の画面図である。
【図７】第２の実施の形態における処理を示すフローチャートである。
【符号の説明】
【００６５】
２０  バッテリ
３０  ＡＳＩＣ
４０  ＲＯＭ
５０  ＲＡＭ
１００  無線通信部
１１０  ＭＣＵ
１２０  送受信部
１３０  ＥＥＰＲＯＭ
１０００  ＭＦＰ
１１００  コントローラ
１２００  ＡＣ電源装置
２０００  ＰＣ
２１００  ディスプレイ
【図１】
2009278516.tif 000003
【図２】
2009278516.tif 000004
【図３】
2009278516.tif 000005
【図４】
2009278516.tif 000006
【図５】
2009278516.tif 000007
【図６】
2009278516.tif 000008
【図７】
2009278516.tif 000009